(57)【要約】【課題】バックカバーの製造コストを低減でき、筐体製造の低コスト化を図ることができる表示装置を提供することを目的としている。【解決手段】表示デバイス２０と、表示デバイス２０を支持するフレーム２２と、フレーム２２の表示デバイス２０の反対側に取り付けられ、表示デバイス２０を制御する電気基板２３と、電気基板２３側からフレーム２２を覆うバックカバー３０とを備え、バックカバー３０は、複数のパネル部材３１を組合せて形成されている。【選択図】      図２
2007041383.tif 000002
【特許請求の範囲】
【請求項１】
表示デバイスを支持するフレーム部材と、
このフレーム部材の上記表示デバイスの反対側に取り付けられ、上記表示デバイスを制御する電気基板と、
この電気基板側から上記フレーム部材を覆うバックカバーとを備え、
上記バックカバーは、複数の部材を組合せて形成されていることを特徴とする表示装置用筐体。
【請求項２】
上記部材には、突起部が形成されていることを特徴とする表示装置用筐体。
【請求項３】
上記バックカバーは、上記部材と、この部材に上下方向に放熱用の穴が設けられたカバー部材とを備えていることを特徴とする請求項１に記載の表示装置用筐体。
【請求項４】
前記部材は金属部材であることを特徴とする請求項１乃至３のいずれかに記載の表示装置用筐体。
【請求項５】
表示デバイスと、
この表示デバイスを支持するフレーム部材と、
このフレーム部材の上記表示デバイスの反対側に取り付けられ、上記表示デバイスを制御する電気基板と、
この電気基板側から上記フレーム部材を覆うバックカバーとを備え、
上記バックカバーは、複数の部材を組合せて形成されていることを特徴とする表示装置。
【発明の詳細な説明】
【技術分野】
【０００１】
本発明は、ＰＤＰ（プラズマディスプレーパネル）やＬＣＤ（液晶ディスプレイ）等の表示デバイスを支持するための表示装置用筐体及びこの表示装置用筐体を用いた表示装置に関し、特にバックカバーの製造コストの低減を図ることができるものに関する。
【背景技術】
【０００２】
図８は、ＰＤＰやＬＣＤ等の表示デバイスが組み込まれた表示装置１００を示す斜視図である。図９は表示装置１００の分解した斜視図である。表示装置１００は、表示パネル１１０と、表示パネル１１０の前面に設けられた前面ベゼル１１１と、表示パネル１１０の後面に設けられたフレーム１１２と、このフレーム１１２に取り付けられ、表示パネル１１０を制御する制御デバイスを搭載する電気基板１１３と、この電気基板１１３を覆うバックカバー１１４とを備えている。なお、フレーム１１２、電気基板１１３及びバックカバー１１４により表示装置用筐体が構成されている。
【０００３】
表示装置用筐体において、バックカバー１１４は樹脂及び金属を材料とし、その製造方法は金型を使用した樹脂射出成形または板金プレス成形による一体成形が用いられている（例えば、特許文献１参照）。
【特許文献１】実開平７−２６８７０号公報
【発明の開示】
【発明が解決しようとする課題】
【０００４】
上述した表示装置用のバックカバーの成形方法では、次のような問題があった。すなわち、バックカバーは成形面積が非常に大きく、一体成形するためには高価な金型が必要となるため、部品製造コストが高くなるという問題があった。また、一体成形による製造方法は、サイズが異なる場合にも、それぞれサイズに応じた金型が必要となることから、同様に部品製造コストが高くなる
そこで本発明は、バックカバーの製造コストを低減でき、筐体製造の低コスト化を図ることができる表示装置及び表示装置用筐体を提供することを目的としている。
【課題を解決するための手段】
【０００５】
前記課題を解決し目的を達成するために、本発明の表示装置用筐体及び表示装置は次のように構成されている。
【０００６】
（１）表示デバイスを支持するフレーム部材と、このフレーム部材の上記表示デバイスの反対側に取り付けられ、上記表示デバイスを制御する電気基板と、この電気基板側から上記フレーム部材を覆うバックカバーとを備え、上記バックカバーは、複数の部材を組合せて形成されていることを特徴とする。
【０００７】
（２）前記（１）に記載された表示装置用筐体であって、上記部材には、突起部が形成されていることを特徴とする。
【０００８】
（３）前記（１）に記載された表示装置用筐体であって、上記バックカバーは、上記部材と、この部材に上下方向に放熱用の穴が設けられたカバー部材とを備えていることを特徴とする。
【０００９】
（４）前記（１）〜（３）のいずれかに記載された表示装置用筐体であって、前記部材は金属部材であることを特徴とする。
【００１０】
（５）表示デバイスと、この表示デバイスを支持するフレーム部材と、このフレーム部材の上記表示デバイスの反対側に取り付けられ、上記表示デバイスを制御する電気基板と、この電気基板側から上記フレーム部材を覆うバックカバーとを備え、上記バックカバーは、複数の部材を組合せて形成されていることを特徴とする。
【発明の効果】
【００１１】
本発明によれば、バックカバーの製造コストを低減でき、筐体製造の低コスト化を図ることが可能となる。
【発明を実施するための最良の形態】
【００１２】
図１は本発明の第１の実施の形態に係る表示装置１０の要部を切欠して示す斜視図、図２は同表示装置１０を分解して示す斜視図である。
【００１３】
表示装置１０は、表示パネル２０と、表示パネル２０の前面に設けられた前面ベゼル２１と、表示パネル２０の後面に設けられたフレーム２２と、このフレーム２２に取り付けられ、表示パネル２０を制御する制御デバイスを搭載する電気基板２３と、この電気基板２３を覆うバックカバー３０とを備えている。なお、バックカバー３０の上下には、多数の通風孔を有するプレート（カバー部材）２４，２４が取り付けられている。また、フレーム２２、電気基板２３及びバックカバー３０により、表示装置用筐体が構成されている。
【００１４】
バックカバー３０は、図３に示すようにほぼ平板状のアルミ材製のパネル部材（金属部材）３１が複数個、組合せられて形成されている。パネル部材３１は、例えば押出し成型により形成されている。
【００１５】
パネル部材３１は、一対の平板部３２，３３を有し、これら平板部３２，３３は相対向する面３２ａ，３３ａが一部露出するように段違いに配置されており、一方の平板部３３に突条部（突起部）３４が形成されている。
【００１６】
このように形成されたパネル部材３１を複数枚用い、図４に示すように、相隣接するパネル部材３１の一方の面３２ａと他方の面３３ａとを当接させ、リベット・カシメ加工等の手段で接合する。そして、必要な個数組み合わせることにより、バックカバー３０を形成する。これにより金型を用いることなくバックカバー３０を形成することができる。
【００１７】
図５及び図６は、パネル部材３１の変形例に係る板状のパネル部材３５を示す斜視図である。パネル部材３５は、両端部にそれぞれ凸部３６、凹部３７を有するいわゆるスナップフィット構造であり、さらに、一方の面側に突条部３８が形成されている。
【００１８】
このように形成されたパネル部材３５を複数枚用い、図６に示すように、相隣接するパネル部材３５の一方の凸部３６と他方の凹部３７と嵌合させて接合する。そして、必要な個数組み合わせることにより、バックカバー３０を形成する。
【００１９】
上述したように、本実施の形態に係る表示装置用筐体が組み込まれた表示装置１０によれば、バックカバー３０の製造コストを削減することが可能であり、パネル部材３１、３５の組合せ部品数を調整することでサイズ変更にも容易に対応することが可能となる。また、パネル部材３１、３５に設けた突条部３４、３８は、表示装置用筐体内部及び外部の熱を上方に導く流路を限定することにより放熱効率を向上させることができる。
【００２０】
図７は本発明の第２の実施の形態に係る表示装置用筐体が組み込まれた表示装置４０を分解して示す斜視図である。図７において、図２と同一機能部分については同一符号を付し、その詳細な説明は省略する。
【００２１】
本実施の形態においては、突条部３４の凸部表面に熱伝導性シート４１が接着されている。熱伝導性シート４１により、本実施の形態に係る表示装置４０においても、上述した第１の実施の形態に係る表示装置１０と同様の効果が得られるとともに、放熱性をさらに向上させることができる。
【００２２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２３】
【図１】本発明の第１の実施の形態に係る表示装置の要部を一部切欠して示す斜視図。
【図２】同表示装置を分解して示す斜視図。
【図３】同表示装置に組み込まれたバックパネルを構成するパネル部材を示す斜視図。
【図４】同パネル部材を２つ組み合わせた状態を示す斜視図。
【図５】同表示装置に組み込まれたバックパネルを構成するパネル部材を示す斜視図。
【図６】同パネル部材を２つ組み合わせた状態を示す斜視図。
【図７】本発明の第２の実施の形態に係る表示装置を分解して示す斜視図。
【図８】表示装置の一例を示す斜視図。
【図９】同表示装置を分解して示す斜視図。
【符号の説明】
【００２４】
１０，４０…表示装置、２０…表示パネル、２１…前面ベゼル、２２…フレーム、２３…電気基板、２４…プレート、３０…バックカバー、３４，３８…突条部、４１…熱伝導性シート。
【図１】
2007041383.tif 000003
【図２】
2007041383.tif 000004
【図３】
2007041383.tif 000005
【図４】
2007041383.tif 000006
【図５】
2007041383.tif 000007
【図６】
2007041383.tif 000008
【図７】
2007041383.tif 000009
【図８】
2007041383.tif 000010
【図９】
2007041383.tif 000011